(57)【要約】【課題】ＣＤ-ＤＡのリッピング中にＣＤ-ＤＡの全記録楽曲を把握できる「オーディオ記録再生装置及びコンピュータプログラム」を提供する。【解決手段】オーディオトラックTr01のリッピングが開始されると、Tr01の先頭からの再生出力を開始する。そして、その後、時刻ｔ0から開始されたTr01の再生出力が標準再生時間SPBT継続した時刻T1で、次のオーディオトラックTr02のリッピングが開始されていればTr01の再生出力を終了しTr02の再生出力を開始する。その後、時刻ｔ1から開始されたTr02の再生出力が標準再生時間SPBT継続した時刻T2で、次のオーディオトラックTr03のリッピングが開始されていない場合には、Tr02の再生出力をTr03のリッピングが開始する時刻t3まで延長し、次のオーディオトラックTr03のリッピングが開始されてから、次のオーディオトラックTr03の再生出力を開始する。【選択図】図４
2015095268.tif 000002
【特許請求の範囲】
【請求項１】
第１の記録媒体に記録された楽曲を読み出して第２の記録媒体に記録し、第２の記録媒体に記録した楽曲を再生するオーディオ記録再生装置であって、
前記第１の記録媒体に記録された各楽曲を順次読み出しオーディオファイルとして前記第２の記録媒体に記録する記録処理を行う記録手段と、
前記記録手段の記録処理と並行して、前記記録手段が読み出した楽曲を順次再生する再生手段とを有し、
前記再生手段は、
前記記録手段が読み出した楽曲の再生を開始してから所定の標準再生時間が経過した時点で、当該楽曲の次の楽曲の前記記録手段による読み出しが開始されている場合には、当該時点で再生する楽曲を当該次の楽曲に切り替え、
前記記録手段が読み出した楽曲の再生を開始してから所定の標準再生時間が経過した時点で、当該楽曲の次の楽曲の前記記録手段による読み出しが開始されていない場合には、当該次の楽曲の前記記録手段による読み出しが開始された時点で、再生する楽曲を当該次の楽曲に切り替えることを特徴とするオーディオ記録再生装置。
【請求項２】
請求項１記載のオーディオ記録再生装置であって、
前記標準再生時間は、前記記録手段が前記第１の記録媒体から読み出してオーディオファイルとして前記第２の記録媒体に記録する全楽曲を、当該記録手段が前記第１の記録媒体から読み出してオーディオファイルとして前記第２の記録媒体に記録するのに要する時間を、前記全楽曲の数で除算した時間であることを特徴とするオーディオ記録再生装置。
【請求項３】
請求項１記載のオーディオ記録再生装置であって、
前記標準再生時間は、予め固定的に定めた時間であることを特徴とするオーディオ記録再生装置。
【請求項４】
請求項１、２または３記載のオーディオ記録再生装置であって、
前記再生手段は、前記記録手段が読み出した楽曲の再生を、当該楽曲の先頭から開始することを特徴とするオーディオ記録再生装置。
【請求項５】
請求項１、２または３記載のオーディオ記録再生装置であって、
各楽曲の盛り上がり部分の先頭の当該楽曲内の時間位置を予め登録したデータベースを有し、
前記再生手段は、前記データベースを参照し、前記記録手段が読み出した楽曲の再生を、当該楽曲の盛り上がり部分の先頭から開始することを特徴とするオーディオ記録再生装置。
【請求項６】
請求項１、２、３、４または５記載のオーディオ記録再生装置であって、
前記第１の記録媒体は、オーディオトラックとして楽曲を記録したＣＤ-ＤＡであることを特徴とするオーディオ記録再生装置。
【請求項７】
コンピュータによって読み取られ実行されるコンピュータプログラムであって、
前記コンピュータを、
第１の記録媒体に記録された各楽曲を順次読み出しオーディオファイルとして第２の記録媒体に記録する記録処理を行う記録手段と、
前記記録手段の記録処理と並行して、前記記録手段が読み出した楽曲を順次再生する再生手段として機能させ、
前記再生手段は、
前記記録手段が読み出した楽曲の再生を開始してから所定の標準再生時間が経過した時点で、当該楽曲の次の楽曲の前記記録手段による読み出しが開始されている場合には、当該時点で再生する楽曲を当該次の楽曲に切り替え、
前記記録手段が読み出した楽曲の再生を開始してから所定の標準再生時間が経過した時点で、当該楽曲の次の楽曲の前記記録手段による読み出しが開始されていない場合には、当該次の楽曲の前記記録手段による読み出しが開始された時点で、再生する楽曲を当該次の楽曲に切り替えることを特徴とするコンピュータプログラム。
【請求項８】
請求項７記載のコンピュータプログラムであって、
前記標準再生時間は、前記記録手段が前記第１の記録媒体から読み出してオーディオファイルとして前記第２の記録媒体に記録する全楽曲を、当該記録手段が前記第１の記録媒体から読み出してオーディオファイルとして前記第２の記録媒体に記録するのに要する時間を、前記全楽曲の数で除算した時間であることを特徴とするコンピュータプログラム。
【発明の詳細な説明】
【技術分野】
【０００１】
本発明は、楽曲を記録すると共に記録した楽曲を再生するオーディオ記録再生装置に関するものである。
【背景技術】
【０００２】
従来より、オーディオ記録再生装置において、個人的利用目的において、ＣＤ-ＤＡ（Compact Disc Digital Audio）に記録された楽曲をＨＤＤ（Hard Disk Drive）にオーディオファイルとして記録(リッピング)し、その後は、オリジナルのＣＤ-ＤＡを必要とすることなく、ＨＤＤに記録した楽曲をオーディオ記録再生装置上で再生可能とする技術が知られている。
【０００３】
また、ＣＤ-ＤＡからＨＤＤへの楽曲のリッピングと並行して、ＣＤ-ＤＡに記録されている楽曲を再生出力する技術も知られている（たとえば、特許文献１）。
【先行技術文献】
【特許文献】
【０００４】
【特許文献１】特開2005-228421号公報
【発明の概要】
【発明が解決しようとする課題】
【０００５】
ＣＤ-ＤＡの全楽曲のＨＤＤへのリッピングと並行して、ＣＤ-ＤＡに記録されている楽曲を再生出力する場合、楽曲のリッピングは楽曲の再生よりも高速に行われるため、ＣＤ-ＤＡに記録されている全楽曲のリッピング完了までに、ＣＤ-ＤＡに記録されている楽曲の一部しか再生出力を完了することができない場合が多い。
【０００６】
そして、このために、ユーザが、ＣＤ-ＤＡの全楽曲のＨＤＤへのリッピングの際に、ＣＤ-ＤＡの全楽曲を把握することができない不便が生じる。特に、短期間で複数枚のＣＤ-ＤＡのＨＤＤへのリッピングを行いたい場合などには、リッピングとは別途にＣＤ-ＤＡの各楽曲を確認する手間をかけられない場合が多く、結果、どのような楽曲をＣＤ-ＤＡからＨＤＤにリッピングしたのか分からないままとなり、その後、ＨＤＤに記録した楽曲を有益に利用できないことがある。
【０００７】
そこで、本発明は、第１の記録媒体から複数の楽曲を読み出して、第２の記録媒体に記録する際に、ユーザが、当該複数の楽曲の全てを把握できるようにすることを課題とする。
【課題を解決するための手段】
【０００８】
前記課題達成のために、本発明は、第１の記録媒体に記録された楽曲を読み出して、第２の記録媒体に記録し、第２の記録媒体に記録した楽曲を再生するオーディオ記録再生装置に、前記第１の記録媒体に記録された各楽曲を順次読み出しオーディオファイルとして前記第２の記録媒体に記録する記録処理を行う記録手段と、前記記録手段の記録処理と並行して、前記記録手段が読み出した楽曲を順次再生する再生手段とを設け、前記再生手段において、前記記録手段が読み出した楽曲の再生を開始してから所定の標準再生時間が経過した時点で、当該楽曲の次の楽曲の前記記録手段による読み出しが開始されている場合には、当該時点で再生する楽曲を当該次の楽曲に切り替え、前記記録手段が読み出した楽曲の再生を開始してから所定の標準再生時間が経過した時点で、当該楽曲の次の楽曲の前記記録手段による読み出しが開始されていない場合には、次の楽曲の前記記録手段による読み出しが開始された時点で、再生する楽曲を当該次の楽曲に切り替えるようにしたものである。
【０００９】
ここで、このようなオーディオ記録再生装置において、前記標準再生時間は、前記記録手段が前記第１の記録媒体から読み出してオーディオファイルとして前記第２の記録媒体に記録する全楽曲を、当該記録手段が前記第１の記録媒体から読み出してオーディオファイルとして前記第２の記録媒体に記録するのに要する時間を、前記全楽曲の数で除算した時間とすることが好ましい。
【００１０】
または、前記標準再生時間は、予め固定的に定めた時間としてもよい。
また、以上のオーディオ記録再生装置は、前記再生手段において、前記記録手段が読み出した楽曲の再生を、当該楽曲の先頭から開始するように構成してもよい。
または、以上のオーディオ記録再生装置に、各楽曲の盛り上がり部分の先頭の当該楽曲内の時間位置を予め登録したデータベースを設け、前記再生手段において、前記データベースを参照し、前記記録手段が読み出した楽曲の再生を、当該楽曲の盛り上がり部分の先頭から開始するようにしてもよい。
【００１１】
なお、以上のオーディオ記録再生装置において、前記第１の記録媒体は、たとえば、オーディオトラックとして楽曲を記録したＣＤ-ＤＡである。
以上のようなオーディオ記録再生装置によれば、複数の楽曲を第１の記録媒体から読み出して第２の記録媒体へ記録する処理と並行して、複数の楽曲がメドレー的に順次、少なくとも再生時間が所定の標準再生時間より長い楽曲については、標準再生時間以上ずつ再生出力されるので、ユーザは第１の記録媒体から読み出されて第２の記録媒体に記録されている全ての楽曲を把握することができるようになる。また、ユーザは、他の作業を行いながらでも、各楽曲のメドレー的な順次再生出力の終了より、複数の楽曲の第１の記録媒体読み出しと第２の記録媒体への記録の処理の完了を認知することができるようになる。
【発明の効果】
【００１２】
以上のように、本発明によれば、第１の記録媒体から複数の楽曲を読み出して、第２の記録媒体に記録する際に、ユーザが、当該複数の楽曲の全てを把握できるようになる。
【図面の簡単な説明】
【００１３】
【図１】本発明の実施形態に係るオーディオ記録再生装置の構成を示すブロック図である。
【図２】本発明の実施形態に係るオーディオ記録再生装置の機能構成を示すブロック図である。
【図３】本発明の実施形態に係る新規ＣＤ再生処理を示すフローチャートである。
【図４】本発明の実施形態に係る新規ＣＤ再生処理の処理例を示す図である。
【発明を実施するための形態】
【００１４】
以下、本発明の実施形態について説明する。
図１に、本実施形態に係るオーディオ記録再生装置の構成を示す。
図示するように、本実施形態に係るオーディオ記録再生装置は、オーディオ処理装置１、表示装置２、入力装置３、スピーカやオーディオアンプ装置などのオーディオ出力装置４、ＨＤＤ５、ＣＤ-ＤＡ６１用のドライブ装置であるＣＤドライブ６とを有している。
そして、オーディオ処理装置１は、ＣＰＵ１１、メモリ１２、表示装置２に接続する表示インタフェース１３、オーディオ出力装置４に接続するオーディオ出力インタフェース１４、ＨＤＤ５に接続するＨＤＤインタフェース１５、ＣＤドライブ６に接続するＣＤドライブインタフェース１６、入力装置３に接続する入力インタフェース１７と、以上の各部を接続するバス２１とを備えている。ここで、表示インタフェース１３、オーディオ出力インタフェース１４、ＨＤＤインタフェース１５、ＣＤドライブインタフェース１６、入力インタフェース１７は、各々接続する装置と、オーディオ処理装置１との間との入出力を処理するものである。
【００１５】
次に、ＣＰＵ１１のＨＤＤ５に予め記憶されたコンピュータプログラムの実行により、このようなオーディオ処理装置１上に実現される機能構成を図２に示す。
図示するように、オーディオ処理装置１は、機能的には、オペレーティングシステム２０１と、オペレーティングシステム２０１上のアプリケーションプロセスである記録再生処理部２０２とを有し、記録再生処理部２０２は、記録再生制御部２０２１、再生処理部２０２２、記録処理部２０２３を有する。
【００１６】
このような構成において、ＨＤＤ５には、前述したコンピュータプログラムの他、各ＣＤ-ＤＡ６１の種類（アルバム）毎にアルバム名やアーティスト名や各楽曲のタイトルなどの情報をＣＤ-ＤＡ６１のＴＯＣ情報に対応づけて登録したＣＤＤＢ２１１と、ＣＤ-ＤＡ６１からリッピング等した楽曲を格納したオーディオファイル２１２と、各オーディオファイル２１２の識別情報や符号化アリゴリズムやビットレートやオーディオファイル２１２に格納されている楽曲のアルバム名やアーティスト名やタイトルなどの情報を登録したオーディオファイル管理テーブル２１３と、ＨＤＤ５へのリッピング済みのＣＤ-ＤＡ６１を登録するＣＤ-ＤＡ管理テーブル２１４とが格納されている。
【００１７】
一方、ＣＤ-ＤＡ６１には、ＴＯＣ（Table Of Contents）情報と、各々が一つの楽曲の楽曲データであるオーディオトラックが記録されている。ＴＯＣ情報は、ＣＤ-ＤＡ６１に記録されているオーディオトラックの数や各オーディオトラックの長さ等を示しており、したがって、実質上、ＣＤ-ＤＡ６１の種類（アルバム）毎に異なる値を持つ。そして、このため、このＴＯＣ情報は、ＣＤ-ＤＡ６１の種類（アルバム）を識別するための識別情報として利用することができる。
【００１８】
さて、このような構成において、オペレーティングシステム２０１は、記録再生処理部２０２の、ＨＤＤ５に格納されたＣＤＤＢ２１１やオーディオファイル２１２やオーディオファイル管理テーブル２１３やＣＤ-ＤＡ管理テーブル２１４や、ＣＤ-ＤＡ６１に記録されたＴＯＣ情報やオーディオトラックに対するアクセスや、表示装置２や入力装置３やオーディオ出力装置４との間の入出力を制御する。
【００１９】
一方、記録再生処理部２０２の記録再生制御部２０２１は、ユーザの入力装置３の操作に応じて、オーディオファイル管理テーブル２１３に登録されている各オーディオファイル２１２の情報を用いて生成した再生楽曲選択受付画面を表示し、ユーザから再生楽曲選択受付画面で再生する楽曲の選択を受け付け、再生処理部２０２２に、順次、選択された各楽曲のオーディオファイル２１２を再生出力させる。なお、再生処理部２０２２による、オーディオファイル２１２の再生出力は、オーディオファイル２１２のオーディオデータに必要なデコード処理を施してオーディオ出力装置４に出力することにより行われる。
【００２０】
さて、このようなオーディオ処理装置１において、記録再生処理部２０２の記録再生制御部２０２１は、ＣＤドライブ６にＣＤ-ＤＡ６１が装着されると以下に示す新規ＣＤ再生処理を行う。
図３に、この新規ＣＤ再生処理の手順を示す。
図示するように、この新規ＣＤ再生処理では、まず、ＣＤ-ＤＡ６１のＴＯＣ情報と、ＣＤ-ＤＡ管理テーブル２１４とを参照して、装着されたＣＤ-ＤＡ６１が、ＨＤＤ５へのリッピング済みのＣＤ-ＤＡ６１であるかどうかを調べ（ステップ３０２）、リッピング済みのＣＤ-ＤＡ６１であれば、装着されたＣＤ-ＤＡ６１の通常再生処理を起動する（ステップ３０４）。ここで、ＣＤ-ＤＡ６１の通常再生処理では、再生処理部２０２２に、順次、ＣＤ-ＤＡ６１の各オーディオトラックの再生出力を行わせる。なお、再生処理部２０２２による、オーディオトラックの再生出力は、ＣＤ-ＤＡ６１からオーディオトラックのオーディオデータを読み出してデコードし、オーディオ出力装置４に出力することにより行われる。
【００２１】
一方、装着されたＣＤ-ＤＡ６１が、ＨＤＤ５へのリッピング済みのＣＤ-ＤＡ６１でなければ（ステップ３０２）、ＣＤ-ＤＡ６１の各オーディオトラックの標準再生時間を設定する（ステップ３０６）。
ここで、ＣＤ-ＤＡ６１の各オーディオトラックの標準再生時間は、以下のように設定する。すなわち、ＣＤ-ＤＡ６１のＴＯＣ情報を参照して求まるＣＤ-ＤＡ６１のオーディオトラックの再生時間の総和によって示されるリッピングするオーディオトラックの総データ量や、ＣＤドライブ６のＣＤ-ＤＡ６１のデータ読み出し速度などにより、ＣＤ-ＤＡ６１の全てのオーディオトラックをＨＤＤ５へリッピングするのに要する所要時間を算出する。そして、算出した所要時間をＣＤ-ＤＡ６１のＴＯＣ情報を参照して求まるＣＤ-ＤＡ６１のオーディオトラック数で除算した時間をＣＤ-ＤＡ６１の各オーディオトラックの標準再生時間とする。
【００２２】
ただし、標準再生時間として、予め固定的に定めた時間（たとえば、１０秒）を設定してもよい。また、この場合には、予め固定的に定めた時間は、ユーザより指定された時間としてもよい。
次に、このようにして標準再生時間を設定したならば、ＣＤ-ＤＡ６１のリッピング処理を記録処理部２０２３に開始させる（ステップ３０８）
ＣＤ-ＤＡ６１のリッピング処理を開始した記録処理部２０２３は、ＣＤ-ＤＡ６１の各オーディオトラックのリッピングをトラック番号順に行う。ここで、記録処理部２０２３は、オーディオトラックのリッピングは、オーディオトラックのオーディオデータをＣＤ-ＤＡ６１からメモリ１２に読み込み、MP3やAACなどの所定の符号化アリゴリズムに従って予め設定されたビットレートの符号化オーディオデータに符号化し、符号化オーディオデータをオーディオファイル２１２としてＨＤＤ５に記録することにより行う。また、記録処理部２０２３は、ＣＤ-ＤＡ６１のリッピング処理において、ＣＤＤＢ２１１を参照し、ＨＤＤ５に記録した各オーディオファイル２１２の、アルバム名やアーティスト名や各楽曲のタイトルなどの情報をオーディオファイル管理テーブル２１３に登録する処理や、全てのオーディオトラックのリッピングを完了したＣＤ-ＤＡ６１をＣＤ-ＤＡ管理テーブル２１４に登録する処理なども行う。
【００２３】
次に、ＣＤ-ＤＡ６１のリッピング処理を記録処理部２０２３に開始させたならば（ステップ３０８）、記録再生制御部２０２１は、ＣＤ-ＤＡ６１の各オーディオトラックについて、トラック番号順に、順次、着目し(ステップ３１０、３２２、３２４)、着目したオーディオトラック（i番目のオーディオトラック）について、以下の処理を行う
すなわち、まず、再生処理部２０２２に、記録処理部２０２３のリッピング処理によりメモリ１２に読み込まれている着目したオーディオトラックのオーディオデータの再生出力を指示する（ステップ３１２）。メモリ１２に読み込まれている着目したオーディオトラックのオーディオデータの再生出力の指示を受け取った再生処理部２０２２は、メモリ１２に読み込まれている着目したオーディオトラックのオーディオデータの先頭からの再生出力を開始し、着目したオーディオトラックのオーディオデータの全ての再生出力が完了するか、記録再生制御部２０２１から新たな再生出力の指示を受け取るまで、メモリ１２に読み込まれている着目したオーディオトラックのオーディオデータの再生出力を継続する。
【００２４】
そして、記録処理部２０２３による、最後のオーディオトラック（ｎ番目のオーディオトラック）のリッピングの終了（ステップ３１４）と、着目したオーディオトラックの次のオーディオトラックのリッピングの開始（ステップ３１６）とのいずれかが発生している状態となるのを待つ。
【００２５】
そして、最後のオーディオトラックのリッピングが終了しているか（ステップ３１４）、着目したオーディオトラックの次のオーディオトラックのリッピングが開始されている（ステップ３１６）状態となったならば、着目したオーディオトラック全体の再生出力が終了した状態の発生と（ステップ３１８）と、着目したオーディオトラックの標準再生時間分の再生出力を完了した状態の発生と（ステップ３２０）とを調べ、いずれかの状態が発生していれば、着目したオーディオトラックについての処理を終了し、ＣＤ-ＤＡ６１に次のオーディオトラックが存在する場合には（ステップ３２２）、着目するオーディオトラックを次のオーディオトラックに更新し（ステップ３２４）、更新後の着目するオーディオトラックについて以上のステップ３１２からの処理を行い、ＣＤ-ＤＡ６１に次のオーディオトラックが存在しない場合には、新規ＣＤ再生処理を終了する。
【００２６】
一方、着目したオーディオトラック全体の再生出力が終了した状態と、着目したオーディオトラックの標準再生時間分の再生出力の完了した状態とのうちのいずれかの状態が発生していなければ、いずれかの状態の発生を待ち（ステップ３１８、３２０）、いずれかの状態が発生したならば、着目したオーディオトラックについての処理を終了し、ＣＤ-ＤＡ６１に次のオーディオトラックが存在する場合には（ステップ３２２）、着目するオーディオトラックを次のオーディオトラックに更新し（ステップ３２４）、更新後の着目するオーディオトラックについて以上のステップ３１２からの処理を行い、ＣＤ-ＤＡ６１に次のオーディオトラックが存在しない場合には、新規ＣＤ再生処理を終了する。
【００２７】
以上、記録再生処理部２０２の記録再生制御部２０２１が行う新規ＣＤ再生処理について説明した。
ここで、図４に、このような新規ＣＤ再生処理の処理例を示す。
いま、ＨＤＤ５にリッピングされていないＣＤ-ＤＡ６１がＣＤドライブ６に装着され、ＣＤドライブ６に装着されたＣＤ-ＤＡ６１にはTr01からTrnまでのｎ個のオーディオトラックが記録されているものとする。
この場合、まず、Tr01からTrnまでの各オーディオトラックのリッピングに要する総所要時間TRTを算出し、総所要時間TRTをオーディオトラックで除算した時間TR/nを標準再生時間SPBTとして設定する。
そして、Tr01からTrnまでのｎ個のオーディオトラックが順番にＨＤＤ５にリッピングされていく。
一方、オーディオトラックTr01のリッピングが開始されると、オーディオトラックTr01の先頭からの再生出力が開始される。そして、その後、時刻ｔ0から開始されたオーディオトラックTr01の再生出力が標準再生時間SPBT継続した時刻T1で、オーディオトラックTr01のリッピングが完了し、オーディオトラックTr02のリッピングが開始されていれば、オーディオトラックTr01の再生出力は終了し、オーディオトラックTr02の再生出力が開始される。
【００２８】
その後、時刻ｔ1から開始されたオーディオトラックTr02の再生出力が標準再生時間SPBT継続した時刻T2で、オーディオトラックTr02のリッピングが完了しオーディオトラックTr03のリッピングが開始されていないときには、オーディオトラックTr02の再生出力は、オーディオトラックTr03のリッピングが開始する時刻t3まで延長され、時刻t3から、次のオーディオトラックTr03の再生出力が開始される。
【００２９】
そして、その後、時刻ｔ3から開始されたオーディオトラックTr03の再生出力が標準再生時間SPBT継続した時刻T4で、オーディオトラックTr03のリッピングが完了し、オーディオトラックTr04のリッピングが開始されていれば、オーディオトラックTr03の再生出力は終了し、オーディオトラックTr04の再生出力が開始される。
【００３０】
また、その後、オーディオトラックTr04の再生時間が標準再生時間SPBTより短いために、時刻ｔ4から開始されたオーディオトラックTr04の再生出力が標準再生時間SPBT継続する前に時刻t5で終了してしまった場合には、その時点t5で、次のオーディオトラックTr05のリッピングが開始されていれば、オーディオトラックTr05の再生出力が即座に開始される。
【００３１】
以降、同様に、ＣＤ-ＤＡ６１のリッピングと並行して、各オーディオトラックの標準再生時間SPBT分の再生出力が順次行われていく。ただし、再生時間が標準再生時間SPBTより短いオーディオトラックについては、その再生時間分だけ再生出力が行われることとなる。
以上、本発明の実施形態について説明した。
ところで、以上の実施形態では、ＣＤ-ＤＡ６１のリッピングと並行して、ＣＤ-ＤＡ６１の各オーディオトラックの先頭部分を順次再生出力するようにしたが、これは、ＣＤ-ＤＡ６１のリッピングと並行して、ＣＤ-ＤＡ６１の各オーディオトラックの特徴部分（さび、盛り上がる部分）を順次再生するようにしてもよい。この場合には、たとえば、ＣＤＤＢ２１１に各ＣＤ-ＤＡ６１の各オーディオトラックの特徴部分の先頭の再生時刻（通常再生時のオーディオトラックの先頭からの経過時間）を登録しておき、再生処理部２０２２において、新規ＣＤ再生処理のステップ３１２でオーディオトラックのオーディオデータの再生出力を指示されたときに、ＣＤＤＢ２１１を参照して、特徴部分の先頭の再生時刻から、オーディオトラックのオーディオデータの再生出力を行うようにすればよい。
【００３２】
以上のように、本実施形態によれば、ＣＤ-ＤＡ６１のリッピングと並行して、ＣＤ-ＤＡ６１の各オーディオトラックの一部がメドレー的に順次、再生時間が所定時間より長いオーディオトラックについては、所定時間以上ずつ再生出力されるので、ユーザはＣＤ-ＤＡ６１のリッピング中にＣＤ-ＤＡ６１にオーディオトラックとして記録されている全ての楽曲を把握することができるようになる。また、ユーザは、他の作業を行いながらでも、ＣＤ-ＤＡ６１の各オーディオトラックのメドレー的な順次再生出力の終了より、ＣＤ-ＤＡ６１のリッピングの完了を認知することができるようになる。
【００３３】
なお、以上の実施形態において、記録再生制御部２０２１は、ユーザのリッピング開始操作に応答して、その時点でＣＤドライブ６に装着されているＣＤ-ＤＡ６１を対象として、上述した新規ＣＤ再生処理のステップ３０６以降の処理を行うようにしてもよい。
また、本実施形態で示したＣＤ-ＤＡ６１のリッピングと並行して、ＣＤ-ＤＡ６１の各オーディオトラックの一部をメドレー的に順次、所定時間以上ずつ再生出力する技術は、ＣＤ-ＤＡ６１のリッピング以外の、第１の記録媒体から第２の記録媒体に複数の楽曲のリッピングやコピーや移動を行う場合についても同様に適用することができる。
【符号の説明】
【００３４】
１…オーディオ処理装置、２…表示装置、３…入力装置、４…オーディオ出力装置、５…ＨＤＤ、６…ＣＤドライブ、１１…ＣＰＵ、１２…メモリ、１３…表示インタフェース、１４…オーディオ出力インタフェース、１５…ＨＤＤインタフェース、１６…ＣＤドライブインタフェース、１７…入力インタフェース、２１…バス、６１…ＣＤ-ＤＡ、２０１…オペレーティングシステム、２０２…記録再生処理部、２１１…ＣＤＤＢ、２１２…オーディオファイル、２１３…オーディオファイル管理テーブル、２１４…ＣＤ-ＤＡ管理テーブル、２０２１…記録再生制御部、２０２２…再生処理部、２０２３…記録処理部。
【図１】
2015095268.tif 000003
【図２】
2015095268.tif 000004
【図３】
2015095268.tif 000005
【図４】
2015095268.tif 000006